(57)【要約】【課題】既設ＡＬＣ縦壁パネルに対して、従来技術よりも低コストであり、安全を考慮した補強処理を、屋外側からのみでも行うことができる既設ＡＬＣ縦壁パネルの補強方法を提供する。【解決手段】建物躯体の下地鋼材（２）に取り付けられた既設ＡＬＣ縦壁パネル（４）の補強方法であって、ＡＬＣ縦壁パネル（４）内部に埋設されたパネル幅方向の内部補強鉄筋（９）がパネル厚さ方向に変位するのを抑止する補強部材（８）を、下地鋼材（２）のＡＬＣ縦壁パネル（４）が当接する面に取り付ける。【選択図】図１
2008291466.tif 000002
【特許請求の範囲】
【請求項１】
建物躯体の下地鋼材に取り付けられた既設ＡＬＣ縦壁パネルの補強方法であって、前記ＡＬＣ縦壁パネル内部に埋設されたパネル幅方向の内部補強鉄筋がパネル厚さ方向に変位するのを抑止する補強部材を、前記下地鋼材の前記ＡＬＣ縦壁パネルが当接する面に取り付けることを特徴とする既設ＡＬＣ縦壁パネルの補強方法。
【請求項２】
前記ＡＬＣ縦壁パネルの内の最上部に位置するパネル幅方向の内部補強鉄筋が露出するように切削部を形成し、前記補強部材を取り付けた後、埋戻し補修を行うことを特徴とする請求項１に記載の既設ＡＬＣ縦壁パネルの補強方法。
【請求項３】
前記補強部材として、２つの立上部とこれらの立上部を接続する底面部とからなる断面コの字型の金物を用い、一方の立上部を前記下地鋼材に取り付け、他方の立上部により前記内部補強鉄筋の変位を抑止することを特徴とする請求項１または２に記載の既設ＡＬＣ縦壁パネルの補強方法。
【請求項４】
前記補強部材は、前記ＡＬＣ縦壁パネル内部に埋設されたパネル幅方向の内部補強鉄筋の内、最上部の内部補強鉄筋の変位を抑止することを特徴とする請求項１〜３のいずれかに記載の既設ＡＬＣ縦壁パネルの補強方法。
【発明の詳細な説明】
【技術分野】
【０００１】
本発明は、例えばビル等の既設建築物に外壁材等として使用されているＡＬＣ（軽量気泡コンクリート）パネルに関する。特に、長方形状のＡＬＣパネルを縦長に配置した既設ＡＬＣ縦壁パネルにおいて、取付部の耐力が経年劣化などにより低下した場合、あるいは地震時における安全性を向上させる場合に適用する既設ＡＬＣ縦壁パネルの補強方法に関する。
【背景技術】
【０００２】
ビル等の既設建築物は、過去の大きな地震を教訓にして、耐震性能が強化されており、建物躯体に対するＡＬＣパネルの取付構造および取付構法も、耐震性能を強化するように移行してきている。例えば、ＡＬＣ縦壁パネルの取付構法の１つである挿入筋構法は、過去に多く施工されてきたが、耐震性能が必ずしも充分ではない等の理由で、２００２年に廃止された経緯がある。
【０００３】
図５に、ＡＬＣ縦壁パネルに対する従来の挿入筋構法の施工例を、（ａ）斜視図、（ｂ）ｂ部の拡大図、および（ｃ）要部の断面図で示す。
【０００４】
従来の施工例では、建物躯体であるＨ形鋼等よりなる梁材（１）の上部に、アングル材等よりなる下地鋼材（２）を取り付け、下地鋼材（２）の側面に溶接等でタテカベプレート（３）を固着し、タテカベプレート（３）にＡＬＣ縦壁パネル（４）を載置すると共に、タテカベプレート（３）に形成した鉄筋挿通穴（３ａ）内、および横方向に隣接するＡＬＣ縦壁パネル（４）間の縦目地（ｊ１）内に、目地鉄筋（５）を配設し、目地鉄筋（５）の周囲の縦目地（ｊ１）内に、モルタル（６）等を充填して固化させることが行われていた。
【０００５】
このような従来の挿入筋構法に代わり、最近では、ロッキング構法やスライド構法等のように、耐震性能のよい構法が採用されている。これらを比較すると、前述のような従来の挿入筋構法では、地震等の際に、ＡＬＣ縦壁パネル（４）の動きが拘束されるため、耐震性能に優れるとは言い難い。従って、従来の挿入筋構法で補強されたＡＬＣ縦壁パネルを、そのまま使用し続けることは、耐震性能の面から好ましくないという問題がある。
【０００６】
そのため、２００２年以前に挿入筋構法により建設され、老朽化した既設建築物の外壁に対しては、改修手段として、例えば、特許文献１および２に記載されるように、躯体に取付金具を固着して、外壁の外側に、新たに仕上げ用パネルを張り付けている。しかし、このような補強方法では、施工に手間がかかることや、コスト面で、採用には相当の検討を要するという問題がある。
【０００７】
また、いずれのＡＬＣパネルであっても、経年劣化による母材の強度低下や、過去に起こった地震などにより、取付部耐力に支障を来すおそれもある。すなわち、経年劣化を受けたＡＬＣパネルは、一般に物性が低下し、それによって強度も低下する。しかし、経年劣化の程度は、建物の維持管理、置かれている環境などによってまちまちで、今後の継続的な使用の適否をいつ判断すべきかは一概に決められないが、少なくとも２０年以上経過したＡＬＣ建物は、専門化による劣化診断を受けて、適切なメンテナンスを行う必要がある。
【０００８】
その場合、かなり経年劣化したＡＬＣパネルでも、曲げ耐力は充分に安全側に設計されているので殆ど問題ないが、取付部強度については、詳細な調査により、必要に応じて補強工事を行うとよく、今後予想される大地震に対応するためにも、また、地球環境のためにも、既存のＡＬＣ建物の安全を考慮した補強対策が必要な場合も少なくない。しかし、既存のＡＬＣ建物は、その殆どが使用中で、外壁の内部側には、内装や屋内装置品等が設置されていることから、屋内側から補強対策を施すことができない等の問題がある。
【特許文献１】特開平１１−０９３３７４号公報
【特許文献２】特開平１１−１２４９８０号公報
【発明の開示】
【発明が解決しようとする課題】
【０００９】
本発明は、以上の問題点に鑑みて提案されたもので、既設ＡＬＣ縦壁パネルに対して、従来技術よりも低コストであり、安全を考慮した補強処理を、ＡＬＣ本来の外観を損ねることなく、屋外側のみから行うことができる既設ＡＬＣ縦壁パネルの補強方法を提供することを目的とする。
【課題を解決するための手段】
【００１０】
本発明は、建物躯体の下地鋼材に取り付けられた既設ＡＬＣ縦壁パネルの補強方法に係り、前記ＡＬＣ縦壁パネル内部に埋設されたパネル幅方向の内部補強鉄筋がパネル厚さ方向に変位するのを抑止する補強部材を、前記下地鋼材の前記ＡＬＣ縦壁パネルが当接する面に取り付けることに特徴を有する。
【００１１】
具体的には、前記ＡＬＣ縦壁パネルの内の最上部に位置するパネル幅方向の内部補強鉄筋が露出するように切削部を形成し、前記補強部材を取り付ける。その後、前記露出部に対して埋戻し補修を行うことが好ましい。
【００１２】
前記補強部材として、２つの立上部とこれらの立上部を接続する底面部とからなる断面コの字型の金物を用い、一方の立上部を前記下地鋼材に取り付け、他方の立上部により前記内部補強鉄筋の変位を抑止することが好ましい。
【００１３】
また、前記ＡＬＣ縦壁パネル内部に埋設されたパネル幅方向の内部補強鉄筋の内、最上部の内部補強鉄筋の変位を抑止するようにすることが好ましい。
【発明の効果】
【００１４】
本発明の既設ＡＬＣ縦壁パネルの補強方法により、屋内側が使用中であっても、また、屋内側に内装や屋内装置品があっても、屋外側からのみの施工で、下地鋼材に補強部材の取付けが可能となる。さらに、補強部材を取り付けた後、露出した部分を補修することで、ＡＬＣ本来の外観を損ねることもない。
【００１５】
また、本発明の既存ＡＬＣ縦壁パネルの補強方法を行うことで、経年劣化により取付部強度に問題がある既設ＡＬＣ縦壁パネルを継続的に使用することを可能とし、環境面と経済面とに有利となる他、大地震によるＡＬＣ縦壁パネルの落下を食い止めることができ、既設建築物において、地震による被害の低減を図ることが可能となる。
【発明を実施するための最良の形態】
【００１６】
以下、図に示す実施形態に基づいて、本発明を具体的に説明する。図１に、本発明の既設ＡＬＣ縦壁パネルの補強方法の一実施形態を、（ａ）斜視図、（ｂ）ｂ部の拡大図、および（ｃ）要部の断面図を用いて示す。
【００１７】
図１に示した実施形態は、従来の挿入筋構法によって施工した既設ＡＬＣ縦壁パネルに本発明を適用したものを示している。ただし、スライド構法、ロッキング構法その他の構法によって施工された既設ＡＬＣパネルが経年劣化した場合にも適用してよい。
【００１８】
挿入筋構法による既設ＡＬＣ縦壁パネル（４）は、建物躯体であるＨ形鋼等よりなる梁材（１）の上に、アングル材等よりなる下地鋼材（２）を取り付け、下地鋼材（２）の側面に溶接等でタテカベプレート（３）を固着し、タテカベプレート（３）にＡＬＣ縦壁パネル（４）を載置すると共に、タテカベプレート（３）に形成した鉄筋挿通穴（３ａ）内、および横方向に隣接するＡＬＣ縦壁パネル（４）間の縦目地（ｊ１）内に、目地鉄筋（５）を配設し、目地鉄筋（５）の周囲の縦目地（ｊ１）内に、モルタル（６）等を充填して固化させている。
【００１９】
本発明の既設ＡＬＣ縦壁パネルの補強方法を図２および図３を用いて説明する。図２は、本発明の既設ＡＬＣ縦壁パネルの補強方法の施工プロセスを、（ａ）〜（ｅ）の断面図で示している。
【００２０】
先ず、複数の内部補強鉄筋の内の最上部に位置するパネル幅方向の内部補強鉄筋（９）が露出するように、隣接するＡＬＣ縦壁パネル（４）間の横目地（ｊ２）に、図示を省略したドリル等を用いて、屋外側から、外壁の厚さ方向に貫通する切削部（ｋ）を形成する。ＡＬＣ縦壁パネル（４）の脱落防止という観点および施工の容易さから、最上部の内部補強鉄筋（９）を対象として切削部（ｋ）を形成することが好ましいが、例えば、下地鋼材（２）の位置との関係で、最上部以外の内部補強鉄筋を対象としてもよい。また、本発明を１枚のＡＬＣ縦壁パネル（４）に対して複数箇所に適用するため、２以上の切削部（ｋ）を形成してもよい。
【００２１】
次に、ＡＬＣ縦壁パネル（４）内部に埋設されたパネル幅方向の内部補強鉄筋（９）の内、最上部の内部補強鉄筋（９）がパネル厚さ方向に変位するのを抑止する補強部材（８）を、下地鋼材（２）のＡＬＣ縦壁パネル（４）が当接する面に、鋼板用ビス（７）を用いて取り付ける。補強部材（８）は、図３に示すように、帯板状の鋼材を曲げ加工して作製され、２つの立上部（８ａ，８ｃ）とこれらの立上部（８ａ，８ｃ）を接続する底面部（８ｂ）とからなる断面コの字型の金物である。一方の立上部（８ａ）には、ビス挿入用の穴（８ｄ）が設けられ、立上部（８ａ）は下地鋼材（２）に取り付けられる。そして、内部補強鉄筋（９）が補強部材（８）の内側に位置するように補強部材（８）を配置することにより、他方の立上部（８ｃ）により内部補強鉄筋（９）の変位が抑止される。
【００２２】
なお、本実施例では、補強部材（８）の取付けに、鋼板用ビス（７）を用いたが、状況に応じて溶接等を用いてもよい。
【００２３】
また、補強部材の形状は、下地鋼材（２）に内部補強鉄筋（９）を接続することで、大地震が起こった際にＡＬＣ縦壁パネルが脱落しないような高強度にすることができればよく、上記補強部材（８）の形状に限定されることはない。例えば、下地鋼材（２）に取り付けたフック形状の金物でもよい。
【００２４】
最後に、切削部（ｋ）を図２（ｅ）に示すように補修材（１０）で埋め戻し、外観を整える。補修材（１０）としては、セメントやモルタル等を主原料とする材料を用いることができる。
【００２５】
以上のように比較的簡単な施工で、既設ＡＬＣ縦壁パネルを補強することができ、また、既設ＡＬＣ縦壁パネルの外側、すなわち屋外側からのみで、補強をすることができるので、屋内が使用中であっても、また、屋内に内装や屋内装置品があっても、何ら支障がない。さらに、補強部を補修材（１０）で埋め戻すので、壁面の塗装を行えば、良好な外観を得ることができる。そのため、装飾板を設ける必要がない。
【００２６】
従来のように補強を行ったＡＬＣ縦壁パネルにあっては、大地震の際に、例えば、既存の取付部分が破壊し、最悪の場合、ＡＬＣ縦壁パネルが脱落する可能性がある。しかし本発明では、図４に示すように、万が一、既存取付部が破壊しても、内部補強鉄筋が、補強部材に引っ掛かるため、ＡＬＣ縦壁パネルの変位が抑止され、ＡＬＣ縦壁パネルの脱落を確実に防止することができる。従って、本発明の既存ＡＬＣ縦壁パネルの補強方法を実行することにより、大地震による被害を低減することが可能となり、既設建築物を、安心して、継続使用することが可能となる。
【００２７】
以上、本発明を説明してきたが、本発明は上述した実施形態にのみ限定されるものではなく、その本質を逸脱しない範囲で、種々の変形が可能であることは言うまでもない。 
【産業上の利用可能性】
【００２８】
以上のように、本発明によれば、既設ＡＬＣ縦壁パネルを建築物の屋外側から、簡単かつ確実に補強することができるので、例えば、従来の挿入筋構法のように、耐震性能、耐久性、もしくはパネル取付強度が必ずしも充分ではない既設建築物であって、現在、使用中の建築物でも、居住者や使用者に何ら負担を掛けることなく、施工可能であり、既設建築物におけるＡＬＣ縦壁パネルの補強構造として、産業上も極めて有効かつ適切に利用することができる。
【図面の簡単な説明】
【００２９】
【図１】本発明の既設ＡＬＣ縦壁パネルの補強方法の一実施例を示す説明図である。（ａ）は斜視図、（ｂ）はｂ部の拡大図、および（ｃ）は要部の断面図である。
【図２】本発明の既設ＡＬＣ縦壁パネルの補強方法の施工プロセスを示す説明図である。（ａ）〜（ｅ）は断面図である。
【図３】補強部材を示す斜視図である。
【図４】パネル脱落防止機能の一例を示す断面図である。
【図５】ＡＬＣ縦壁パネルに対する従来の挿入筋構法の施工例を示す説明図である。（ａ）は斜視図、（ｂ）はｂ部の拡大図、および（ｃ）は要部の断面図である。
【符号の説明】
【００３０】
１  梁材
２  下地鋼材
３  タテカベプレート
３ａ  鉄筋挿通穴
４  ＡＬＣ縦壁パネル
５  目地鉄筋
６  モルタル
７  鋼板用ビス
８  補強部材
８ａ  立上部
８ｂ  底面部
８ｃ  立上部
８ｄ  穴
９  内部補強鉄筋
１０  補修材
ｊ１  縦目地
ｊ２  横目地
ｋ  切削部
【図１】
2008291466.tif 000003
【図２】
2008291466.tif 000004
【図３】
2008291466.tif 000005
【図４】
2008291466.tif 000006
【図５】
2008291466.tif 000007